(57)【要約】【課題】  本発明は、パーシャルカットによってラベルを連なった状態で保管できると共に、ピッチの異なるラベルに対応することができるラベル連続体およびその作製方法を提供することを課題とする。【解決手段】  印字が施されたラベル２が帯状台紙３に仮着されており、帯状台紙３の幅方向に２枚のラベル２が間隔を置いて仮着されていると共に、帯状台紙３の幅方向中央部分を残したパーシャルカット４が施されている。印字およびパーシャルカット４が施される前のラベル連続体１は、帯状台紙３の幅方向に間隔を置いて配置された２列の連続ラベルがピッチ方向に連続して仮着されており、ピッチ方向に連続した２列の連続ラベルは、印字機構によって印字が施された後、パーシャルカット機構によってそれぞれ切断される。パーシャルカット４は、幅方向中央部分を残して帯状台紙３を幅方向にカットしていると共に、連続ラベルを幅方向に切断してラベル２を形成する。【選択図】        図１
2006184519.tif 000002
【特許請求の範囲】
【請求項１】
帯状台紙にラベルが仮着されているラベル連続体であって、
前記帯状台紙のピッチ方向に連続して仮着された複数列の連続ラベルに対し、印字を施した後に、前記帯状台紙の幅方向の一部分を残してカットするパーシャルカットによって、複数列の前記連続ラベルが幅方向に切断されて、前記ラベルが形成されていることを特徴とするラベル連続体。
【請求項２】
パーシャルカットによって切断された前記ラベルのピッチが異なっていることを特徴とする請求項１記載のラベル連続体。
【請求項３】
帯状台紙にラベルが仮着されているラベル連続体の作製方法であって、
前記帯状台紙のピッチ方向に連続して仮着されている複数列の連続ラベルに、印字手段によって印字を行った後、パーシャルカット機構による前記帯状台紙の幅方向の一部分を残してカットするパーシャルカットによって、複数列の前記連続ラベルを幅方向に切断して、前記ラベルを形成することを特徴とするラベル連続体の作製方法。
【発明の詳細な説明】
【技術分野】
【０００１】
本発明は、帯状台紙にラベルが仮着されているラベル連続体およびその作製方法に関し、特に帯状台紙を部分的にカットするパーシャルカットが施されているラベル連続体およびその作製方法に関する。
【背景技術】
【０００２】
帯状台紙の長手方向（以下、ピッチ方向と称す）に複数のラベルが間隔を置いて仮着されているラベル連続体に対し、印字およびパーシャルカットを施す印字装置が知られており、幅方向の一部分を残すパーシャルカットは、ピッチ方向に並ぶラベル間の帯状台紙に形成されるのが一般的である（例えば、特許文献１参照）。
【０００３】
帯状台紙の幅方向の一部分を残すパーシャルカットを施すことによって、例えば、連番印字を行ったラベルを順番が混在しないように保管することができると共に、ラベル巻き取り機でロール状に巻き取ってコンパクトに保管することができる。
【０００４】
しかしながら、従来技術では、ピッチ方向に並ぶラベル間にパーシャルカットを施すように構成されているため、ラベル連続体に仮着されているラベルのピッチ（帯状台紙の長手方向の長さ）が予め決められてしまい、ピッチの異なるラベルを印字する際に、その都度印字装置に設置されているラベル連続体を交換しなければならず、作業効率が悪いという問題点があった。
【０００５】
なお、オーディオカセットやビデオカセットに貼付けてその内容を記すインデックスラベル、あるいは種々の所持品に貼付けてその所有者を記すネームラベル等をオリジナルで作成するテープ印字装置においては、印字する情報量に応じてラベルのピッチが変化するが、帯状台紙とラベルとが全幅に亘って重なっているため、パーシャルカットを施した場合には、ラベル自体が連なってしまい、使用時に手で切り離す必要があり実用的ではない（例えば、特許文献２参照）。
【特許文献１】特開２００３−１２７４８３号公報
【特許文献２】特開平１１−２７７８２２号公報
【発明の開示】
【発明が解決しようとする課題】
【０００６】
本発明は斯かる問題点を鑑みてなされたものであり、その目的とするところは、パーシャルカットによってラベルを連なった状態で保管できると共に、ピッチの異なるラベルに対応することができるラベル連続体およびその作製方法を提供する点にある。
【課題を解決するための手段】
【０００７】
本発明は上記課題を解決すべく、以下に掲げる構成とした。
請求項１記載の発明の要旨は、帯状台紙にラベルが仮着されているラベル連続体であって、前記帯状台紙のピッチ方向に連続して仮着された複数列の連続ラベルに対し、印字を施した後に、前記帯状台紙の幅方向の一部分を残してカットするパーシャルカットによって、複数列の前記連続ラベルが幅方向に切断されて、前記ラベルが形成されていることを特徴とするラベル連続体に存する。
また請求項２記載の発明の要旨は、パーシャルカットによって切断された前記ラベルのピッチが異なっていることを特徴とする請求項１記載のラベル連続体に存する。
また請求項３記載の発明の要旨は、帯状台紙にラベルが仮着されているラベル連続体の作製方法であって、前記帯状台紙のピッチ方向に連続して仮着されている複数列の連続ラベルに、印字手段によって印字を行った後、パーシャルカット機構による前記帯状台紙の幅方向の一部分を残してカットするパーシャルカットによって、複数列の前記連続ラベルを幅方向に切断して、前記ラベルを形成することを特徴とするラベル連続体の作製方法に存する。
【発明の効果】
【０００８】
本発明のラベル連続体およびその作製方法は、帯状台紙のピッチ方向に連続して仮着された複数列の連続ラベルに対して印字を施した後に、帯状台紙の幅方向の一部分を残してカットするパーシャルカットによって、複数列の連続ラベルを幅方向に切断して、ラベルを形成するように構成することにより、パーシャルカットによってラベルを連なった状態で保管できると共に、ピッチの異なるラベルに対応することができるという効果を奏する。
【発明を実施するための最良の形態】
【０００９】
以下、本発明の実施の形態を図面に基づいて詳細に説明する。
【００１０】
図１は、本発明に係るラベル連続体の実施の形態の構成を示す図であり、（ａ）は、平面図であり、（ｂ）は、（ａ）に示すＸ−Ｘ’断面図である。図２は、図１を示すラベル連続体における印字およびパーシャルカットが施される前の構成を示す平面図である。
【００１１】
本実施の形態のラベル連続体１は、図１を参照すると、印字が施されたラベル２が帯状台紙３に仮着されており、帯状台紙３の幅方向に２枚のラベル２が間隔を置いて仮着されていると共に、帯状台紙３の幅方向中央部分を残したパーシャルカット４が施されている。
【００１２】
印字およびパーシャルカット４が施される前のラベル連続体１は、図２に示すように、帯状台紙３の幅方向に間隔を置いて配置された２列の連続ラベル８がピッチ方向（帯状台紙３の長手方向）に連続して仮着されており、ピッチ方向に連続した２列の連続ラベル８は、印字機構によって印字が施された後、パーシャルカット機構によってそれぞれ切断されることでラベル２に形成される。
【００１３】
すなわち、パーシャルカット４は、幅方向中央部分を残して帯状台紙３を幅方向にカットしていると共に、連続ラベル８を幅方向にカットして切断している。従って、図１に示すように、ラベル２に連番印字を施した場合にも、帯状台紙３が幅方向中央部分によって連なっているため、順番が混在しない状態で保管することができる。
【００１４】
次に、本実施の形態のラベル連続体１を作製する印字装置の構成について図３および図４を参照して詳細に説明する。
図３は、図１に示すラベル連続体を作製する印字装置の構成を示す概略構成図であり、図４は、図３に示す固定刃および可動刃の概略構成を示す正面図である。
【００１５】
ラベル連続体１を作製する印字装置１０は、図３を参照すると、図２に示す印字およびパーシャルカット４が施される前のラベル連続体１がロール状に巻き回された状態で装着される供給リール１１と、ラベル連続体１を搬送するプラテンローラ１２と、プラテンローラ１２との間にラベル連続体１を挟持して連続ラベル８に印字を行う印字手段であるサーマルヘッド１３と、ラベル連続体１（帯状台紙３）の裏面に印刷されているタイミングマークによりラベル連続体１の搬送距離を検出する搬送検出用光センサ１４と、印字後のラベル連続体１にパーシャルカットを施す固定刃１５および可動刃１６からなるパーシャルカット機構と、プラテンローラ１２を回転駆動するプラテンローラ駆動部１７と、サーマルヘッド１３を駆動して印字を行う印字制御部１８と、パーシャルカット機構を駆動するカット駆動部１９と、連続ラベル８に印字する印字データが入力される入力部２０と、搬送検出用光センサ１４によるラベル連続体１の搬送状態の検出に基づいてプラテンローラ駆動部１７、印字制御部１８およびカットローラ駆動部１９を制御する中央制御部２１とからなる。
【００１６】
パーシャルカット機構は、印字装置１０の筐体（図示せず）に固定された固定刃１５と、上下方向に進退動可能な可動刃１６とを備えるいわゆるギロチン方式の切断機構であり、可動刃１６は、図４を参照すると、中央部から両端に向かうに従って上方にせり出す左右対称のＶ字状の刃先を有している。可動刃１６は、カット駆動部１９によって上下方向に進退動されるように構成されており、図４（ａ）に示す固定刃１５と可動刃１６とが離れた状態から、矢印で示すように可動刃１６を上方向に、図４（ｂ）に示すパーシャルカット位置まで移動させることにより、図１に示した帯状台紙３の幅方向中央部分を残したパーシャルカット４が施される。なお、パーシャルカット機構によってパーシャルカット４が施されない帯状台紙３の幅方向中央部分は、帯状台紙３に仮着されている２列の連続ラベル８の間隔よりも狭く、パーシャルカット４によって２列の連続ラベル８のいずれもが幅方向にカットされて切断されるように構成されている。
【００１７】
入力部２０には、図示しないホストコンピュータ等から帯状台紙３に仮着されている連続ラベル８に印字する印字データが入力され、入力部２０に入力された印字データは、入力部２０から中央制御部２１に出力される。
【００１８】
中央制御部２１は、プラテンローラ駆動部１７によってプラテンローラ１２を回転駆動してラベル連続体１を搬送すると共に、搬送検出用光センサ１４によって検出されるラベル連続体１の搬送距離に基づいて印字制御部１８にラベル２への印字を指示し、印字制御部１８は、サーマルヘッド１３を駆動して搬送されるラベル連続体１の２列の連続ラベル８のそれぞれに印字を行う。
【００１９】
また、入力部２０に入力される印字データには、印字を行った連続ラベル８の切断位置を示すピッチ情報が含まれており、中央制御部２１は、印字データに含まれるピッチ情報と、搬送検出用光センサ１４によって検出されるラベル連続体１の搬送距離とに基づいて、カット駆動部１９にカットを指示し、カット駆動部１９は、パーシャルカット機構を駆動してラベル連続体１にパーシャルカット４を施し、幅方向中央部分を残して帯状台紙３が幅方向にカットされると共に、２列の連続ラベル８のいずれもが幅方向に切断されてラベル２が形成される。
【００２０】
なお、図１には、パーシャルカット４が施されていない帯状台紙３の幅方向中央部分によって同一ピッチのラベル２が連鎖されている印字例が示されているが、本実施の形態では、ピッチ方向（帯状台紙３の長手方向）に連続した連続ラベル８に印字を施した後に切断してラベル２を形成するように構成しているため、ラベル２のピッチを任意に変更することができ、ピッチの異なるラベル２を混在させた状態で連鎖させることができ、供給リール１１に装着されたラベル連続体１を交換することなくピッチの異なるラベル２を作製することができる。
【００２１】
次に、他の実施の形態のラベル連続体について図５乃至図７に基づいて詳細に説明する。
図５は、本発明に係るラベル連続体の他の実施の形態の構成を示す図であり、（ａ）は、平面図であり、（ｂ）は、（ａ）に示すＹ−Ｙ’断面図である。図６は、本発明に係るラベル連続体の他の実施の形態の構成を示す図であり、（ａ）は、平面図であり、（ｂ）は、（ａ）に示すＺ−Ｚ’断面図である。図７は、図３に示す固定刃および可動刃の他の構成を示す概略正面図である。
【００２２】
他の実施の形態のラベル連続体５は、図５を参照すると、印字が施されたラベル２が帯状台紙３に仮着されており、帯状台紙３の幅方向に２枚のラベル２が間隔を置いて仮着されていると共に、帯状台紙３の幅方向両端部分を残したパーシャルカット６が施されている。
【００２３】
すなわち、パーシャルカット６は、幅方向両端部分を残して帯状台紙３を幅方向にカットしていると共に、ラベル２を幅方向にカットして切断している。従って、図５に示すように、ラベル２に連番印字を施した場合にも、帯状台紙３が幅方向両端部分によって連なっているため、順番が混在しない状態で保管することができる。
【００２４】
また、帯状台紙３の幅方向両端部分を残したパーシャルカット６を施す場合には、図６に示すように、ピッチ方向（帯状台紙３の長手方向）に連続して仮着されている２列のラベル２を、帯状台紙３の幅方向に間隔を置かずに配置させたラベル連続体７であっても良い。
【００２５】
なお、帯状台紙３の幅方向両端部分を残したパーシャルカット６を施すパーシャルカット機構は、印字装置１０の筐体（図示せず）に固定された固定刃１５と、上下方向に進退動可能な可動刃１２とを備えるいわゆるギロチン方式の切断機構であり、可動刃２２は、図７を参照すると、両端から中央部に向かうに従って上方にせり出す左右対称の逆Ｖ字状の刃先を有している。可動刃２２は、カット駆動部１９によって上下方向に進退動されるように構成されており、図７（ａ）に示す固定刃１５と可動刃２２とが離れた状態から、矢印で示すように可動刃２２を上方向に、図７（ｂ）に示すパーシャルカット位置まで移動させることにより、帯状台紙３の幅方向中央部分を残したパーシャルカット６が施される。
【００２６】
以上説明したように、本実施の形態によれば、帯状台紙３のピッチ方向に連続して仮着された複数列の連続ラベル８に対して印字を施した後に、帯状台紙３の幅方向の一部分を残してカットするパーシャルカット４、６によって、複数列の連続ラベル８を幅方向に切断してラベル２を形成するように構成することにより、パーシャルカット４、６によってラベル２を連なった状態で保管できると共に、ピッチの異なるラベル２に対応することができるという効果を奏する。
【００２７】
さらに、本実施の形態によれば、一度のパーシャルカット動作によって２枚のラベルを作製することができるため、ラベル枚数に対するパーシャルカット動作が１／２になり、カッタ寿命が延びるという効果を奏する。
【００２８】
なお、本実施の形態では、ラベル連続体１（帯状台紙３）の裏面に印刷されているタイミングマークにより、ラベル連続体１の搬送距離を検出するように構成したが、タイミングマークを用いることなく、例えば、ラベル連続体１を搬送するプラテンローラ１２の回転数や回転角度を検出することで、ラベル連続体１の搬送距離を検出するようにしても良い。
【００２９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３０】
【図１】本発明に係るラベル連続体の実施の形態の構成を示す図であり、（ａ）は、平面図であり、（ｂ）は、（ａ）に示すＸ−Ｘ’断面図である。
【図２】図１を示すラベル連続体における印字およびパーシャルカットが施される前の構成を示す平面図である。
【図３】図１に示すラベル連続体を作製する印字装置の構成を示す概略構成図である。
【図４】図３に示す固定刃および可動刃の構成を示す概略正面図である。
【図５】本発明に係るラベル連続体の他の実施の形態の構成を示す図であり、（ａ）は、平面図であり、（ｂ）は、（ａ）に示すＹ−Ｙ’断面図である。
【図６】本発明に係るラベル連続体の他の実施の形態の構成を示す図であり、（ａ）は、平面図であり、（ｂ）は、（ａ）に示すＺ−Ｚ’断面図である。
【図７】図３に示す固定刃および可動刃の他の構成を示す概略正面図である。
【符号の説明】
【００３１】
１  ラベル連続体
２  ラベル
３  帯状台紙
４  パーシャルカット
５  ラベル連続体
６  パーシャルカット
７  ラベル連続体
８  連続ラベル
１０  印字装置
１１  供給リール
１２  プラテンローラ
１３  サーマルヘッド
１４  搬送検出用光センサ
１５  固定刃
１６  可動刃
１７  プラテンローラ駆動部
１８  印字制御部
１９  カット駆動部
２０  入力部
２１  中央制御部
２２  可動刃
【図１】
2006184519.tif 000003
【図２】
2006184519.tif 000004
【図３】
2006184519.tif 000005
【図４】
2006184519.tif 000006
【図５】
2006184519.tif 000007
【図６】
2006184519.tif 000008
【図７】
2006184519.tif 000009